(57)【要約】【課題】良好な保冷性能を有しながら、使い勝手の更なる向上を可能とした買物バッグを提供する。【解決手段】可撓性及び断熱性を持たせた底面部２ａ及び４つの側面部２ｂ〜２ｅを有して、清算カゴの内側において展開自在されたバッグ本体２と、可撓性及び断熱性を持たせた状態で、バッグ本体２の上面開口部２ｆを開閉する蓋部３と、可撓性を持たせた状態で、バッグ本体２の内側と外側との間で折り返し自在とされたフラップ部４と、保冷剤Ｓを収容した状態で、バッグ本体２の内側と外側との間で折り返し自在とされたポケット部５とを備え、蓋部３は、上面開口部２ｆの長辺側に位置する一方の側面部２ｂの上端縁に沿って連接され、フラップ部４は、一方の側面部２ｂを除く３つの側面部２ｃ〜２ｅの上端縁に沿って連接されている。【選択図】図３
2019103602.tif 000002
【特許請求の範囲】
【請求項１】
店舗での清算時に買物カゴから清算カゴへと購入した商品を移し替える際に、前記清算カゴの内側に展開した状態で装着し、清算後に前記商品を収容した状態のまま、前記清算カゴから取り外して持ち運ぶことが可能な買物バッグであって、
可撓性及び断熱性を持たせた底面部及び４つの側面部を有して、前記清算カゴの内側において展開自在されたバッグ本体と、
可撓性及び断熱性を持たせた状態で、前記バッグ本体の上面開口部を開閉する蓋部と、
可撓性を持たせた状態で、前記バッグ本体の内側と外側との間で折り返し自在とされたフラップ部と、
保冷剤を収容した状態で、前記バッグ本体の内側と外側との間で折り返し自在とされたポケット部とを備え、
前記蓋部は、前記上面開口部の長辺側に位置する一方の側面部の上端縁に沿って連接され、
前記フラップ部は、前記一方の側面部を除く３つの側面部の上端縁に沿って連接されていることを特徴とする買物バッグ。
【請求項２】
前記フラップ部は、少なくとも前記上面開口部を完全に覆う面積を有することを特徴とする請求項１に記載の買物バッグ。
【請求項３】
前記フラップ部は、１枚のシートからなることを特徴とする請求項１又は２に記載の買物バッグ。
【請求項４】
前記フラップ部は、非透水性を有することを特徴とする請求項１〜３の何れか一項に記載の買物バッグ。
【請求項５】
前記ポケット部は、前記蓋部よりも内側に位置して、前記一方の側面部の上端縁に沿って連接されていることを特徴とする請求項１〜４の何れか一項に記載の買物バッグ。
【請求項６】
前記蓋部は、前記上面開口部を閉塞した状態で、ジップファスナーを介して前記３つの側面部の上端縁に沿って開閉されることを特徴とする請求項１〜５の何れか一項に記載の買物バッグ。
【請求項７】
前記バッグ本体に取手部が設けられていることを特徴とする請求項１〜６の何れか一項に記載の買物バッグ。
【発明の詳細な説明】
【技術分野】
【０００１】
本発明は、買物バッグに関する。
【背景技術】
【０００２】
例えば、スーパーマーケットやショッピングセンターなどの店舗で買物をする際は、購入したい商品を買物カゴに入れ、それを支払いカウンターに持って行く。支払いカウンターでは、レジ係がバーコードリーダを用いて、買物カゴの中にある商品の代金をレジスターに読み込ませながら、買物カゴから清算カゴへと商品を順次移し替えていく。清算後は、購入した商品が入った清算カゴを別のカウンターまで運び、商品を清算カゴからレジ袋に詰め替えた後、持ち帰るのが一般的である。
【０００３】
ところで、近年の環境意識の高まりを受けて、大量に使い捨てられるレジ袋に代わって、買物袋や買物バッグを持参する人が徐々に増えてきている。その中でも、買物カゴから清算カゴへと購入した商品を移し替える際に、清算カゴの内側に展開した状態で装着し、清算後に商品を収容した状態のまま、清算カゴから取り外して持ち運ぶことが可能な買物バッグがある（例えば、下記特許文献１，２を参照。）。このような買物バッグは、清算後に購入した商品を清算カゴからレジ袋や買物袋に詰め替える必要がないため、非常に便利である。また、非使用時にはコンパクトに折り畳むことも可能である。
【先行技術文献】
【特許文献】
【０００４】
【特許文献１】特許第３５３３３６８号公報
【特許文献２】特開２００２−１４２８３１号公報
【発明の概要】
【発明が解決しようとする課題】
【０００５】
しかしながら、上述した買物バッグの中には、清算カゴの内側に展開した状態で、しっかりと固定できないものがある。このような買物バッグは、買物カゴから購入した商品をきちんと移し替えることができないため、その使用を断られることもある。
【０００６】
また、買物バッグでは、保冷剤を収容することで、冷凍食品や生鮮食品などの商品を購入したときに、商品を持ち帰るまで保冷することができる。しかしながら、従来の買物バッグは、バッグ本体に断熱性を持たせていないため、保冷性能が不十分である。
【０００７】
一方、バッグ本体に断熱性を持たせた保冷バッグがある。しかしながら、このような保冷バッグは、清算カゴの内側に展開した状態で固定する構造とはなっていないため、上述した買物バッグとしての使用には不向きである。
【０００８】
本発明は、このような従来の事情に鑑みて提案されたものであり、良好な保冷性能を有しながら、使い勝手の更なる向上を可能とした買物バッグを提供することを目的とする。
【課題を解決するための手段】
【０００９】
上記目的を達成するために、本発明は以下の手段を提供する。
〔１〕  店舗での清算時に買物カゴから清算カゴへと購入した商品を移し替える際に、前記清算カゴの内側に展開した状態で装着し、清算後に前記商品を収容した状態のまま、前記清算カゴから取り外して持ち運ぶことが可能な買物バッグであって、
可撓性及び断熱性を持たせた底面部及び４つの側面部を有して、前記清算カゴの内側において展開自在されたバッグ本体と、
可撓性及び断熱性を持たせた状態で、前記バッグ本体の上面開口部を開閉する蓋部と、
可撓性を持たせた状態で、前記バッグ本体の内側と外側との間で折り返し自在とされたフラップ部と、
保冷剤を収容した状態で、前記バッグ本体の内側と外側との間で折り返し自在とされたポケット部とを備え、
前記蓋部は、前記上面開口部の長辺側に位置する一方の側面部の上端縁に沿って連接され、
前記フラップ部は、前記一方の側面部を除く３つの側面部の上端縁に沿って連接されていることを特徴とする買物バッグ。
〔２〕  前記フラップ部は、少なくとも前記上面開口部を完全に覆う面積を有することを特徴とする前記〔１〕に記載の買物バッグ。
〔３〕  前記フラップ部は、１枚のシートからなることを特徴とする前記〔１〕又は〔２〕に記載の買物バッグ。
〔４〕  前記フラップ部は、非透水性を有することを特徴とする前記〔１〕〜〔３〕の何れか一項に記載の買物バッグ。
〔５〕  前記ポケット部は、前記蓋部よりも内側に位置して、前記一方の側面部の上端縁に沿って連接されていることを特徴とする前記〔１〕〜〔４〕の何れか一項に記載の買物バッグ。
〔６〕  前記蓋部は、前記上面開口部を閉塞した状態で、ジップファスナーを介して前記３つの側面部の上端縁に沿って開閉されることを特徴とする前記〔１〕〜〔５〕の何れか一項に記載の買物バッグ。
〔７〕  前記バッグ本体に取手部が設けられていることを特徴とする前記〔１〕〜〔６〕の何れか一項に記載の買物バッグ。
【発明の効果】
【００１０】
以上のように、本発明によれば、良好な保冷性能を有しながら、使い勝手の更なる向上を可能とした買物バッグを提供することが可能である。
【図面の簡単な説明】
【００１１】
【図１】本発明の一実施形態に係る買物バッグの外観を示す斜視図である。
【図２】図１に示す買物バッグの折り畳んだ状態を示す斜視図である。
【図３】図１に示す買物バッグの内側を示す斜視図である。
【図４】図１に示す買物バッグの清算カゴの内側で展開した状態を示す斜視図である。
【図５】図１に示す買物バッグの商品が収容された状態を示す断面図である。
【発明を実施するための形態】
【００１２】
以下、本発明の実施形態について、図面を参照して詳細に説明する。
本発明の一実施形態として、例えば図１〜図５に示す買物バッグ１について説明する。
なお、図１は、買物バッグ１の外観を示す斜視図である。図２は、買物バッグ１の折り畳んだ状態を示す斜視図である。図３は、買物バッグ１の内側を示す斜視図である。図４は、買物バッグ１の清算カゴＣの内側で展開した状態を示す斜視図である。図５は、買物バッグ１の商品Ｐが収容された状態を示す断面図である。
【００１３】
本実施形態の買物バッグ１は、図１〜図５に示すように、店舗での清算時に買物カゴから清算カゴＣへと購入した商品Ｐを移し替える際に、清算カゴＣの内側に展開した状態で装着し、清算後に商品Ｐを収容した状態のまま、清算カゴＣから取り外して持ち運ぶことを可能としたものである。また、非使用時には、この買物バッグ１を折り畳んだ状態で持ち運ぶことも可能となっている。
【００１４】
具体的に、この買物バッグ１は、底面部２ａ及び４つの側面部２ｂ〜２ｅを有して、清算カゴＣの内側において展開自在されたバッグ本体２と、バッグ本体２の上面開口部２ｆを開閉する蓋部３と、バッグ本体２の内側と外側との間で折り返し自在とされたフラップ部４と、保冷剤Ｓを収容した状態で、バッグ本体２の内側と外側との間で折り返し自在とされたポケット部５とを備えている。
【００１５】
バッグ本体２は、平面視で略長方形状を為す底面部２ａの周囲から四方を囲む４つの側面部２ｂ〜２ｅが立ち上がり形成されることによって、平面視で略長方形状を為す上面開口部２ｆを有して、全体として略直方体に形成されている。なお、バッグ本体２の大きさは、一般的な清算カゴＣの大きさに合わせて、清算カゴＣの内側の容積よりも僅かに小さくなるように設計されている。
【００１６】
バッグ本体２は、可撓性及び断熱性を持たせた材料（生地）からなる底面部２ａ及び４つの側面部２ｂ〜２ｅを一体に縫製したものからなる。本実施形態では、例えば、外生地にポリエステル（ＰＥ）などの織布、内生地にポリエチレン酢酸ビニル（ＰＥＶＡ）などの非透水性のシート、その内側に断熱材として、ポリウレタンや発泡ポリエチレン、ポリプロピレンなどの不織布の積層体を装入した軟質の複合材料を用いている。
【００１７】
なお、可撓性及び断熱性を持たせた材料としては、上述したものに限らず、例えば、アルミ蒸着フィルムを発泡ポリエチレンに張り合わせたシートや、ポリエステル生地、ＰＶＣコート、ポリウレタン、スチレン・ブタジエンゴム（ＳＢＲ）等を組み合わせたものなどを用いることができるが、これらに必ずしも限定されるものではない。
【００１８】
また、バッグ本体２には、この買物バッグ１を持ち運び易くするための取手部６が設けられている。本実施形態では、取手部６として、例えば、上面開口部２ｆの長辺側において対向する一対の側面部２ｂ，２ｄに縫製により一体に取り付けられた一対のショルダーベルト６ａと、上面開口部の短辺側において対向する一対の側面部２ｃ，２ｅに縫製により一体に取り付けられた一対のハンドベルト６ｂとが設けられている。
【００１９】
なお、取手部６の構成については、このような構成に限らず、適宜変更を加えることが可能である。また、バッグ本体２の何れかの側面部２ｂ〜２ｅには、収納ポケット７や、買物バッグ１を折り畳んだ状態で固定するためのスナップボタン８などが設けられている。また、本実施形態の買物バッグ１では、後述するジップファスナー１０の開閉に関わらず、折り畳むことが可能である。
【００２０】
バッグ本体２の内側には、プラスチック製の底板９が着脱自在に設けられている。バッグ本体２は、底面部２ａ上に底板９を設置することによって、このバッグ本体２の展開した状態を保持することができる。また、底板９は、バッグ本体２の内側を仕切る仕切り板として用いることもできる。なお、底板９は、買物バッグ１を折り畳んだ状態において、バッグ本体２の内側に収納することが可能である。
【００２１】
蓋部３は、上述したバッグ本体２と同じ可撓性及び断熱性を持たせた材料からなる。蓋部３は、上面開口部２ｆの長辺側に位置する一方の側面部２ｂの上端縁に沿って縫製により一体に取り付けられている。これにより、蓋部３は、一方の側面部２ｂの上端縁に折り曲げ（屈曲）自在に連接されている。また、蓋部３は、上面開口部２ｆを閉塞した状態で、ジップファスナー１０を介して３つの側面部２ｃ〜２ｅの上端縁に沿って開閉自在となっている。
【００２２】
フラップ部４は、上述したバッグ本体２の内生地と同じ可撓性を持たせた非透水性の材料からなる。また、フラップ部４は、少なくとも上面開口部２ｆを完全に覆うのに十分な面積を有する１枚のシートからなる。なお、フラップ部４の長さ（丈）は、バッグ本体２の深さとほぼ同じか、それよりも僅かに短くなっている。
【００２３】
フラップ部４は、一方の側面部２ｂを除く３つの側面部２ｃ〜２ｅの上端縁に沿って縫製により一体に取り付けられている。これにより、フラップ部４は、３つの側面部２ｃ〜２ｅの上端縁に折り曲げ（屈曲）自在に連接されている。
【００２４】
ポケット部５は、メッシュ素材からなり、例えばプラスチック容器タイプの保冷剤Ｓを収容するのに十分な大きさで袋状に形成されている。なお、ポケット部５の長さ（丈）は、バッグ本体２の深さとほぼ同じか、それよりも僅かに短くなっている。また、ポケット部５には、このポケット部５を開閉する面状ファスナー１１が設けられている。
【００２５】
ポケット部５は、蓋部３よりも内側に位置して、一方の側面部の上端縁に沿って縫製により一体に取り付けられている。これにより、ポケット部５は、一方の側面部２ｂの上端縁に折り曲げ（屈曲）自在に連接されている。
【００２６】
以上のような構成を有する本実施形態の買物バッグ１では、図４に示すように、清算カゴＣの内側でバッグ本体２を展開した状態で、フラップ部４を清算カゴＣの外側に折り返す。このとき、３つの側面部２ｃ〜２ｅの上端縁に沿って折り返されたフラップ部４は、清算カゴＣの２つの角部を跨ぐような状態となる。
【００２７】
これにより、清算カゴＣの内側にバッグ本体２をしっかりと固定することができる。また、バッグ本体２の大きさが清算カゴＣの大きさと多少異なる場合であっても、フラップ部４の折り返し量を調整するだけで、バッグ本体２を清算カゴＣの内側に容易に固定することが可能である。
【００２８】
また、本実施形態の買物バッグ１では、図５に示すように、バッグ本体２の内側に商品Ｐを収容した状態で、保冷剤Ｓが収容されたポケット部５を商品Ｐの上に載せた状態とする。これにより、保冷剤Ｓからの冷気が下方に向かって流れるため、バッグ本体２の内側にある商品Ｐを効率良く保冷することが可能である。
【００２９】
また、フラップ部４は、バッグ本体２の上面開口部２ｆを完全に覆うのに十分な面積を有している。したがって、このフラップ部４により保冷剤Ｓが収容されたポケット部５を覆うことで、バッグ本体２内の冷気が上面開口部２ｆから外へと漏れるのを防ぐことができる。
【００３０】
さらに、バッグ本体２の上面開口部２ｆを蓋部３により閉塞した状態で、ジップファスナー１０を閉じることによって、断熱性を持たせた底面部２ａ、４つの側面部２ｂ〜２ｅ及び蓋部３により遮熱性を高めることができる。
【００３１】
以上のようにして、本実施形態の買物バッグ１では、良好な保冷性能（保温性能も含む。）を有しながら、使い勝手の更なる向上を図ることが可能である。
【００３２】
なお、保冷剤Ｓが収容されたポケット部５は、必ずしも商品Ｐの上に載せておく必要はなく、上面開口部２ｆを覆うフラップ部４の上に載せた状態としてもよい。この場合、フラップ部４は、非透水性を有することから、保冷剤Ｓから結露した水がバッグ本体２の内側へと入り込むのを防ぐことが可能である。また、商品が保冷剤Ｓと直接接触するのを防ぐことが可能である。
【００３３】
また、保冷剤Ｓが収容されたポケット部５を一方の側面部２ｂの内側に沿ってぶら下げた状態としてもよい。この場合、保冷剤Ｓ側に保冷が必要な商品Ｐを配置し、その反対側に保冷が不要な商品Ｐを配置するといった使い方も可能である。
【００３４】
なお、本発明は、上記実施形態のものに必ずしも限定されるものではなく、本発明の趣旨を逸脱しない範囲において種々の変更を加えることが可能である。
例えば、上記フラップ部４は、１枚のシートからなる構成に必ずしも限定されるものではなく、複数枚のシートに分割された構成であってもよい。この場合も、分割されたシートによって、上述した清算カゴＣの２つの角部を跨ぐような状態で折り返せるようにすればよい。これにより、清算カゴＣの内側にバッグ本体２をしっかりと固定することが可能である。
【符号の説明】
【００３５】
１…買物バッグ  ２…バッグ本体  ２ａ…底面部  ２ｂ〜２ｅ…側面部  ２ｆ…上面開口部  ３…蓋部  ４…フラップ部  ５…ポケット部  ６…取手部  ７…収納ポケット  ８…スナップボタン  ９…底板  １０…ジップファスナー  １１…面状ファスナー  Ｓ…保冷剤  Ｃ…清算カゴ  Ｐ…商品
【図１】
2019103602.tif 000003
【図２】
2019103602.tif 000004
【図３】
2019103602.tif 000005
【図４】
2019103602.tif 000006
【図５】
2019103602.tif 000007